(57)【特許請求の範囲】
【請求項１】
使用者の後方を撮影する撮影手段と、
前記撮影手段と連動し、この撮影手段が作動していることを表す作動表示手段と、
前記撮影手段で撮影した映像信号の映像データへの変換、及び、後述する映像記録手段における映像データの録画の開始及び停止の制御を行う録画制御手段と、
振動検知を行い、この振動検知結果に基づく振動レベルが予め定められたレベル以上であったときに信号を出力する振動センサー手段と、
前記振動センサー手段が振動を検知しなくなった直後から予め定められた設定時間内に限り信号を出力するオフディレータイマー手段と、
前記振動センサー手段からの信号、又は、前記オフディレータイマー手段からの信号のいずれかが入力された場合に信号を出力するＯＲ回路手段と、
前記ＯＲ回路手段からの信号により電源制御手段及び前記録画制御手段に信号を出力する動作制御手段と、
前記録画制御手段から変換した映像データが入力される映像記録手段と、
オン及びオフの状態の間で切り替えることのでき、オンの状態で前記電源制御手段に電気信号が入力する電源スイッチ手段と、
前記撮影手段、前記作動表示手段、前記録画制御手段、前記振動センサー手段、前記オフディレータイマー手段、前記ＯＲ回路手段、前記動作制御手段、前記映像記録手段、前記電源スイッチ手段への電源の供給を制御する電源制御手段と、
前記電源制御手段に電源を供給する電源手段とを備えた防犯監視装置。
【請求項２】
請求項１に記載の防犯監視装置において、
前記撮影手段及び前記作動表示手段は、外部撮影可能な撮影手段収納取付ケースに収納され、
前記振動センサー手段、前記オフディレータイマー手段、前記ＯＲ回路手段、前記動作制御手段、前記電源制御手段、前記録画制御手段、前記映像記録手段、前記電源手段は、本体ケースに収納され、
前記本体ケース及び前記撮影手段収納取付ケースを使用者の所有物に着脱自在としたことを特徴とする防犯監視装置。
【請求項３】
請求項１に記載の防犯監視装置において、
前記撮影手段及び前記作動表示手段は、外部撮影可能な撮影手段収納取付ケースに収納され、
振動センサー手段、オフディレータイマー手段、ＯＲ回路手段、動作制御手段、電源制御手段、録画制御手段、映像記録手段、電源手段は、本体ケースに収納され、
本体ケース及び撮影手段収納取付ケースでランドセルの被せ蓋を挟むようにして固着して、ランドセルと一体化することを特徴とする防犯監視装置。
【請求項４】
請求項３に記載の防犯監視装置において、
前記本体ケースと撮影手段収納取付ケースが一体化されたことを特徴とする請求項３の防犯監視装置。
【請求項５】
請求項１に記載の防犯監視装置において、
前記撮影手段、前記作動表示手段、前記録画制御手段、前記振動センサー手段、前記オフディレータイマー手段、前記ＯＲ回路手段、前記動作制御手段、前記映像記録手段、前記電源スイッチ手段、前記電源制御手段、前記電源手段は、支持構造を設けた外部撮影可能な本体ケースに収納されたことを特徴とする防犯監視装置。
【請求項６】
請求項１に記載の防犯監視装置において、
前記撮影手段、前記作動表示手段、前記録画制御手段、前記振動センサー手段、前記オフディレータイマー手段、前記ＯＲ回路手段、前記動作制御手段、前記映像記録手段、前記電源スイッチ手段、前記電源制御手段、前記電源手段は、外部撮影可能な本体ケースに収納され、
前記本体ケースをランドセルの錠前に連接したことを特徴とする防犯監視装置。
【請求項７】
使用者の後方を撮影する撮影手段と、
前記撮影手段と連動し、この撮影手段が作動していることを表す作動表示手段と、
前記撮影手段で撮影した映像信号の映像データへの変換、及び、後述する映像記録手段における映像データの録画の開始及び停止の制御を行う録画制御手段と、
前記録画制御手段において録画された録画データを記憶する映像記録手段と、
振動検知を行い、この振動検知結果に基づく振動レベルが予め定められたレベル以上であったときに、後述するオフディレータイマー手段を経由して信号の出力を可能とする
振動センサー手段と、
前記振動センサー手段が振動を検知しなくなった直後から予め定められた設定時間内に限り信号を出力するオフディレータイマー手段と、
前記オフディレータイマー手段からの信号により電源制御手段及び前記録画制御手段に信号を出力する動作制御手段と、
前記録画制御手段から変換した映像データが入力される映像記録手段と、
オン及びオフの状態の間で切り替えることのでき、オンの状態で前記電源制御手段に電気信号が入力する電源スイッチ手段と、
前記撮影手段、前記作動表示手段、前記録画制御手段、前記振動センサー手段、前記オフディレータイマー手段、前記動作制御手段、前記映像記録手段、電源スイッチ手段への電源の供給を制御する電源制御手段と、
前記電源制御手段に電源を供給する電源手段とを備えた防犯監視装置。
【請求項８】
請求項７に記載の防犯監視装置において、
前記撮影手段及び前記作動表示手段は、外部撮影可能な撮影手段収納取付ケースに収納され、
前記振動センサー手段、前記オフディレータイマー手段、前記動作制御手段、前記電源制御手段、前記録画制御手段、前記映像記録手段、前記電源手段は、本体ケースに収納され、
前記本体ケース及び前記撮影手段収納取付ケースを使用者の所有物に着脱自在としたことを特徴とする防犯監視装置。
【請求項９】
請求項７に記載の防犯監視装置において、
前記撮影手段及び前記作動表示手段は、外部撮影可能な撮影手段収納取付ケースに収納され、
振動センサー手段、オフディレータイマー手段、動作制御手段、電源制御手段、録画制御手段、映像記録手段、電源手段は、本体ケースに収納され、
本体ケース及び撮影手段収納取付ケースでランドセルの被せ蓋を挟むようにして固着して、ランドセルと一体化することを特徴とする防犯監視装置。
【請求項１０】
請求項９に記載の防犯監視装置において、
前記本体ケースと撮影手段収納取付ケースが一体化されたことを特徴とする請求項３の防犯監視装置。
【請求項１１】
請求項７に記載の防犯監視装置において、
前記撮影手段、前記作動表示手段、前記録画制御手段、前記振動センサー手段、前記オフディレータイマー手段、前記動作制御手段、前記映像記録手段、前記電源スイッチ手段、前記電源制御手段、前記電源手段は、支持構造を設けた外部撮影可能な本体ケースに収納されたことを特徴とする防犯監視装置。
【請求項１２】
請求項７に記載の防犯監視装置において、
前記撮影手段、前記作動表示手段、前記録画制御手段、前記振動センサー手段、前記オフディレータイマー手段、前記動作制御手段、前記映像記録手段、前記電源スイッチ手段、前記電源制御手段、前記電源手段は、外部撮影可能な本体ケースに収納され、
前記本体ケースをランドセルの錠前に連接したことを特徴とする防犯監視装置。
【発明の詳細な説明】
【技術分野】
【０００１】
この発明は、防犯監視装置に関する。
【背景技術】
【０００２】
昨今、児童が被害者となる犯罪が急増している。具体的には、不審者が登下校途中の児童を襲う、連れ去り、誘拐、通り魔等の事件が多発している。これらの事件は、まず、不審者が児童を尾行して、その後、不審者が児童の背後から徐々に迫ってきて、抱きかかえて連れ去り、また、背後から危害を加える等、卑劣な手口で行われることが多い。
このような児童の背後から近付いてくる不審者による犯罪を防止する発明として、以下の文献（１）〜文献（２）がある。
【０００３】
まず、文献（１）は、衣服や、携帯品の一部に取り付ける取付具を設けた小型カメラと、
この小型カメラを遠隔操作する操作部と、上記小型カメラで撮像された画像を表示するための表示部及び非常スイッチとを備えたディスプレイ操作器とを組み合わせて構成された携帯型防犯カメラシステムで、歩行中に振り返ることなく、背後の情景を視認し、かつ記録することができるものである。
【０００４】
次に、文献（２）は、携帯表示部と、前記携帯表示部とは別筐体で構成した監視カメラと、前記携帯表示部と前記監視カメラとを電気的に接続する接続コードとを含む監視カメラ装置であって、前記携帯表示部は、ディスプレイと、前記監視カメラを制御する制御部と、前記監視カメラが撮像した画像の信号を前記携帯表示部に入力する為の入力端子とを備え、前記監視カメラは該監視カメラを着脱する為の取付部を備え、前記携帯表示部では、前記監視カメラで使用者による後方を撮像した画像出力を前記ディスプレイに表示し、後方の不審者等を歩行者が認識出来るようにした監視カメラ装置で、容疑者等の撮影をすることができ、動画による長時間収録も可能なものである。
【０００５】
しかしながら、文献（１）はディスプレイ操作器の非常スイッチを操作することによって画像をフレーム記録するものであり、文献（２）は、携帯表示部を操作することによって後方の容疑者等の動画等を収録するものであるため、緊急時にこのような操作をすることが困難な場合がある。
【０００６】
これらの問題点を解決するため、文献（３）には各個人が身体に装着して身体周辺を常時監視して防犯することができる携帯型防犯カメラが開示されている。この文献（３）は、身体に装着されて使用される携帯型防犯カメラであって、画像信号を入力する信号入力器と、入力した画像信号を一時保存する信号一時保存器と、信号一時保存器から画像信号を取り込んで保存する信号蓄積器と、身体又は身体の周辺に異常が発生したことを検知する非常事態検出手段（振動センサー）とを備える携帯型防犯カメラであり、この非常事態検出手段（振動センサー）が閾値を超える振動を検知し、非常事態が発生した時に非常事態検出手段（振動センサー）の指令により信号一時保存器に保存されている画像信号を全部取り込むとともに、引き続いて信号一時保存器が取り込む新画像信号を、当該信号蓄積器の記憶容量が一杯になるまで取り込んで保存するものである。
【０００７】
しかし、この文献（３）に係る発明は、防犯カメラ全体を作動させるためにその都度電源を入れる必要があり、また防犯カメラ全体の作動を中止する場合は電源を切る必要があるため、防犯カメラの電源の入切を忘れることがある。したがって、電源の入れ忘れで肝心なときに撮影できない場合や、防犯カメラの電源の切り忘れで電力が消耗し、肝心なときに撮影できない場合がある。
【０００８】
【特許文献１】実用新案登録第３１２１００１号公報
【特許文献２】特開２００４−２３６３４７号公報
【特許文献３】特開２００６−８６５８２号公報
【発明の開示】
【発明が解決しようとする課題】
【０００９】
そこで、本願発明は、主電源をＯＮとすれば、その後は振動センサー手段及びタイマー手段と接続するＯＲ回路等を利用することによって各手段が作動し、使用の度に電源の入切を行うことなく、必要な状況下において児童の後方の画像を撮影することができる防犯監視装置を提供するものである。
【課題を解決するための手段】
【００１０】
請求項１の発明は、使用者の後方を撮影する撮影手段と、前記撮影手段と連動し、この撮影手段が作動していることを表す作動表示手段と、
前記撮影手段で撮影した映像信号の映像データへの変換、及び、後述する映像記録手段における映像データの録画の開始及び停止の制御を行う録画制御手段と、
振動検知を行い、この振動検知結果に基づく振動レベルが予め定められたレベル以上であったときに信号を出力する振動センサー手段と、
前記振動センサー手段が振動を検知しなくなった直後から予め定められた設定時間内に限り信号を出力するオフディレータイマー手段と、
前記振動センサー手段からの信号、又は、前記オフディレータイマー手段からの信号のいずれかが入力された場合に信号を出力するＯＲ回路手段と、
前記ＯＲ回路手段からの信号により電源制御手段及び前記録画制御手段に信号を出力する動作制御手段と、
前記録画制御手段から変換した映像データが入力される映像記録手段と、
オン及びオフの状態の間で切り替えることのでき、オンの状態で前記電源制御手段に電気信号が入力する電源スイッチ手段と、
前記撮影手段、前記作動表示手段、前記録画制御手段、前記振動センサー手段、前記オフディレータイマー手段、前記ＯＲ回路手段、前記動作制御手段、前記映像記録手段、前記電源スイッチ手段への電源の供給を制御する電源制御手段と、
前記電源制御手段に電源を供給する電源手段とを備えた防犯監視装置である。
【００１１】
請求項２の発明は、請求項１に記載の防犯監視装置において、
前記撮影手段及び前記作動表示手段は、外部撮影可能な撮影手段収納取付ケースに収納され、
前記振動センサー手段、前記オフディレータイマー手段、前記ＯＲ回路手段、前記動作制御手段、前記電源制御手段、前記録画制御手段、前記映像記録手段、前記電源手段は、本体ケースに収納され、
前記本体ケース及び前記撮影手段収納取付ケースを使用者の所有物に着脱自在としたことを特徴とする防犯監視装置である。
【００１２】
請求項３の発明は、請求項１に記載の防犯監視装置において、
前記撮影手段及び前記作動表示手段は、外部撮影可能な撮影手段収納取付ケースに収納され、
前記振動センサー手段、前記オフディレータイマー手段、前記ＯＲ回路手段、前記動作制御手段、前記電源制御手段、前記録画制御手段、前記映像記録手段、前記電源手段は、本体ケースに収納され、
前記本体ケース及び前記撮影手段収納取付ケースでランドセルの被せ蓋を挟むようにして固着して、ランドセルと一体化することを特徴とする防犯監視装置である。
【００１３】
請求項４の発明は、請求項３に記載の防犯監視装置において、
前記本体ケースと前記撮影手段収納取付ケースが一体化されたことを特徴とする請求項３の防犯監視装置である。
【００１４】
請求項５の発明は、請求項１に記載の防犯監視装置において、
前記撮影手段、前記作動表示手段、前記録画制御手段、前記振動センサー手段、前記オフディレータイマー手段、前記ＯＲ回路手段、前記動作制御手段、前記映像記録手段、前記電源スイッチ手段、前記電源制御手段、前記電源手段は、支持構造を設けた外部撮影可能な本体ケースに収納されたことを特徴とする防犯監視装置である。
【００１５】
請求項６の発明は、請求項１に記載の防犯監視装置において、
前記撮影手段、前記作動表示手段、前記録画制御手段、前記振動センサー手段、前記オフディレータイマー手段、前記ＯＲ回路手段、前記動作制御手段、前記映像記録手段、前記電源スイッチ手段、前記電源制御手段、前記電源手段は、外部撮影可能な本体ケースに収納され、
前記本体ケースをランドセルの錠前に連接したことを特徴とする防犯監視装置である。
【００１６】
請求項７の発明は、使用者の後方を撮影する撮影手段と、
前記撮影手段と連動し、この撮影手段が作動していることを表す作動表示手段と、
前記撮影手段で撮影した映像信号の映像データへの変換、及び、後述する映像記録手段における映像データの録画の開始及び停止の制御を行う録画制御手段と、
前記録画制御手段において録画された録画データを記憶する映像記録手段と、
振動検知を行い、この振動検知結果に基づく振動レベルが予め定められたレベル以上であったときに、後述するオフディレータイマー手段を経由して信号の出力を可能とする
振動センサー手段と、
前記振動センサー手段が振動を検知しなくなった直後から予め定められた設定時間内に限り信号を出力するオフディレータイマー手段と、
前記オフディレータイマー手段からの信号により電源制御手段及び前記録画制御手段に信号を出力する動作制御手段と、
前記録画制御手段から変換した映像データが入力される映像記録手段と、
オン及びオフの状態の間で切り替えることのでき、オンの状態で前記電源制御手段に電気信号が入力する電源スイッチ手段と、
前記撮影手段、前記作動表示手段、前記録画制御手段、前記振動センサー手段、前記オフディレータイマー手段、前記動作制御手段、前記映像記録手段、電源スイッチ手段への電源の供給を制御する電源制御手段と、
前記電源制御手段に電源を供給する電源手段とを備えた防犯監視装置である。
【００１７】
請求項８の発明は、請求項７に記載の防犯監視装置において、
前記撮影手段及び前記作動表示手段は、外部撮影可能な撮影手段収納取付ケースに収納され、
前記振動センサー手段、前記オフディレータイマー手段、前記動作制御手段、前記電源制御手段、前記録画制御手段、前記映像記録手段、前記電源手段は、本体ケースに収納され、
前記本体ケース及び前記撮影手段収納取付ケースを使用者の所有物に着脱自在としたことを特徴とする防犯監視装置である。
【００１８】
請求項９の発明は、請求項７に記載の防犯監視装置において、
前記撮影手段及び前記作動表示手段は、外部撮影可能な撮影手段収納取付ケースに収納され、
前記振動センサー手段、前記オフディレータイマー手段、前記動作制御手段、前記電源制御手段、前記録画制御手段、前記映像記録手段、前記電源手段は、本体ケースに収納され、
前記本体ケース及び前記撮影手段収納取付ケースでランドセルの被せ蓋を挟むようにして固着して、ランドセルと一体化することを特徴とする防犯監視装置である。
【００１９】
請求項１０の発明は、請求項９に記載の防犯監視装置において、
前記本体ケースと前記撮影手段収納取付ケースが一体化されたことを特徴とする防犯監視装置である。
【００２０】
請求項１１の発明は、請求項７に記載の防犯監視装置において、
前記撮影手段、前記作動表示手段、前記録画制御手段、前記振動センサー手段、前記オフディレータイマー手段、前記動作制御手段、前記映像記録手段、前記電源スイッチ手段、前記電源制御手段、前記電源手段は、支持構造を設けた外部撮影可能な本体ケースに収納されたことを特徴とする防犯監視装置である。
【００２１】
請求項１２の発明は、請求項７に記載の防犯監視装置において、
前記撮影手段、前記作動表示手段、前記録画制御手段、前記振動センサー手段、前記オフディレータイマー手段、前記動作制御手段、前記映像記録手段、前記電源スイッチ手段、前記電源制御手段、前記電源手段は、外部撮影可能な本体ケースに収納され、
前記本体ケースをランドセルの錠前に連接したことを特徴とする防犯監視装置である。
【発明の効果】
【００２２】
請求項１の発明は、撮影手段、振動センサー手段、オフディレータイマー手段、ＯＲ回路手段、映像記録手段等を利用することによりカメラ等の撮影手段により撮影した画像を簡易かつ容易に映像データとして記録することができるが、本防犯監視装置の主電源をＯＮとすれば、個々の撮影手段や映像記録手段等の電源を入れることなく必要な状況下において外部映像を撮影し録画されるため、撮影手段や映像記録手段等の個々の手段の電源の入切をする煩わしさや、電源の入れ忘れ、切り忘れによる問題点を回避することができ、所期の目的を達成することができる。
【００２３】
請求項２の発明は、撮影手段収納取付ケースと本体ケースを分離することにより撮影手段収納取付ケース、本体ケースをそれぞれ分けてランドセル等の児童の所有物の所定の箇所に容易に着脱することができ、所期の目的を達成することができる。
【００２４】
請求項３の発明は、撮影手段収納取付ケースと本体ケースがランドセルの被せ蓋と一体化するため、防犯監視装置自体の紛失等の心配が少なく、所期の目的を達成することができる。
【００２５】
請求項４の発明は、請求項３の発明の効果の他、撮影手段収納取付ケースと本体ケースが一体化されているため、すっきりと纏まった外観となり、防犯監視装置自体の品質が向上する。
【００２６】
請求項５の発明は、オールインワンタイプであり、防犯監視装置の着脱や管理が容易であり、所期の目的を達成することができる。
【００２７】
請求項６の発明は、本体ケースをランドセルの留め具に連接する構成であるため、防犯監視装置自体の紛失等の心配が少なく、所期の目的を達成することができる。
【００２８】
請求項７の発明は、請求項１の効果の他、請求項１等で使用するＯＲ回路手段を省くことができるので、請求項１等の例に比べてコストダウンを図ることができる。
【００２９】
請求項８の発明は、撮影手段収納取付ケースと本体ケースを分離することにより撮影手段収納取付ケース、本体ケースをそれぞれ分けてランドセル等の児童の所有物の所定の箇所に容易に着脱することができ、所期の目的を達成することができる。
【００３０】
請求項９の発明は、撮影手段収納取付ケースと本体ケースがランドセルの被せ蓋と一体化するため、防犯監視装置自体の紛失等の心配が少なく、所期の目的を達成することができる。
【００３１】
請求項１０の発明は、請求項９の発明の効果の他、撮影手段収納取付ケースと本体ケースが一体化されているため、すっきりと纏まった外観となり、防犯監視装置自体の品質が向上する。
【００３２】
請求項１１の発明は、オールインワンタイプであり、防犯監視装置の着脱や管理が容易であり、所期の目的を達成することができる。
【００３３】
請求項１２の発明は、本体ケースをランドセルの留め具を連接する構成であるため、防犯監視装置自体の紛失等の心配が少なく、所期の目的を達成することができる。
【発明を実施するための最良の形態】
【００３４】
本願発明の防犯監視装置のシステム構成について説明する。
まず、本願発明の防犯監視装置Ａは、主に、撮影手段５、作動表示手段６、制御部本体１０、電源手段２０、映像記録手段３０等に大別できる。このうち、制御部本体１０は、振動センサー手段１１、オフディレータイマー手段１２、ＯＲ回路手段１３、動作制御手段１４、電源制御手段１５、録画制御手段１６等で構成されている。
【００３５】
次に、防犯監視装置の配線について説明する。
振動センサー手段１１の出力端子、オフディレータイマー手段１２の出力端子とＯＲ回路手段１３の入力端子が結合する。
ＯＲ回路手段１３の出力端子と動作制御手段１４の入力端子が結合する。また、ＯＲ回路手段１３を構成要素としない構成の場合は、振動センサー手段１１からの信号が入力するオフディレータイマー手段１２の出力端子と動作制御手段１４の入力端子が結合する。
動作制御手段１４の出力端子と電源制御手段１５の入力端子、録画制御手段１６の入力端子が結合する。
電源制御手段１５の出力端子と撮影手段５の入力端子、作業表示手段６の入力端子が結合する。この電源制御手段１５によって、撮影手段５、作業表示手段６に電源を供給する等の電源の制御を行う。
撮影手段５の出力端子と録画制御手段１６の入力端子が結合し、録画制御手段１６の出力端子と映像記録手段３０の入力端子が結合する。
【００３６】
図１〜図６の例では、図１０で図示するように、記撮影手段５、作動表示手段６は撮影手段収納取付ケース３に収納され、制御部本体１０、電源手段２０、映像記録手段３０等は本体ケース１に収納する。
また、図７〜図９の例では、撮影手段５と、作動表示手段６、制御部本体１０、電源手段２０、映像記録手段３０等は本体ケース１に収納する。
【００３７】
電源手段２０から電源制御手段１５へ電源が供給され、この電源制御手段１５において本システム内の各手段への電源の供給を制御する。
具体的には、本システム内に電源スイッチ手段４０を設け、この電源スイッチ手段４０をオンの状態としておくことで、電源スイッチ手段４０から電源制御手段１５に電気信号が入力される。そして、電源制御手段１５から振動センサー１１、オフディレータイマー手段１２他各手段に電源が供給され、振動センサー手段１１、オフディレータイマー手段１２他各手段がスタンバイの状態となる。
【００３８】
撮影手段５としてはカメラ、例えば、ＣＣＤ素子を利用した小型カメラであるＣＣＤカメラを使用するのが望ましい。記述したように、撮影手段５としてのカメラは、図１〜図６の例では撮影手段収納取付ケース３に収納され、図７〜図９の例では本体ケース１に収納され、このカメラが収納された撮影手段収納取付ケース３や本体ケース１をランドセルＢ等の児童の所有物に装着し、児童の後方の動画を撮影する。撮影手段５は、撮影手段収納取付ケース３や本体ケース１に形成したレンズ孔１ｂ、３ｂから撮影手段５のレンズ５ａを露出するように配置することによって外部撮影可能となる。
なお、小型化が可能であればＣＭＯＳ素子を利用したＣＭＯＳカメラを使用することもできる。また、赤外線カメラを使用することによって夜間の撮像も可能となり、不審者の人相等も特定することができる。
【００３９】
カメラのレンズ５ａとしては、例えば、視野角１８０°、２００°の広角レンズを使用することによって広範囲を撮影することができる。したがって、このような広角レンズによって左右からの不審者の映像も撮り込むことができ、また、児童よりも身長が高い不審者の顔の映像も撮り込むことができる。
電源手段２０から電源制御手段１５を経由して撮影手段５に電源が供給され、撮影手段５が作動する。
【００４０】
作動表示手段６としては、消費電力が少ない直径２０ミリ程度の超高輝度発光ＬＥＤ（Light Emitting Diode：発光ダイオード）が望ましい。記述したように、作動表示手段６としてのＬＥＤも図１〜図６の例では撮影手段収納取付ケース３に収納され、図７〜図９の例では本体ケース１に収納され、このＬＥＤが収納された撮影手段収納取付ケース３や本体ケース１をランドセルＢ等の児童の所有物に装着する。作動表示手段６は、撮影手段収納取付ケース３や本体ケース１に形成したＬＥＤ孔１ｃ、３ｃから作動表示手段６としてのＬＥＤを露出するように配置することによって外部から視認できる。
このＬＥＤは、撮影手段５が作動していることを表す作動表示を行うものであり、撮影手段５と連動する。
【００４１】
作動表示手段６は、犯罪抑止力を効果的に発揮するために設けられており、１個又は複数個配置する。また、ＬＥＤは、状況に合わせて連続点灯及び／又は点滅とすることができる。
ＬＥＤの色は、犯罪抑止力を効果的に発揮できることが可能であれば特に限定されない。例えば、警告や威嚇効果があるとされる赤や、緑が望ましい。
電源手段２０から電源制御手段１５を経由して作動表示手段６に電源が供給され、作動表示手段６が作動する。
【００４２】
撮影手段５としてのカメラにより画像を撮影し、この画像を撮影したカメラからの映像信号が録画制御手段１６に入力される。この録画制御手段１６では、撮影手段５で撮影した映像信号の映像データへの変換、及び、映像記録手段３０における映像データの録画の開始及び停止の制御を行う。そして、録画制御手段１６から映像記録手段３０に映像データが入力され、映像記録手段３０でこの映像データの録画の開始及び停止等を行い、記録媒体への記録等を行う。
【００４３】
すなわち、録画制御手段１６では、撮影手段５で撮影し送信された映像信号を映像データへ変換し、この映像データを映像記録手段３０に送信する。そして、映像記録手段３０においてドライブ等で記録媒体に書込み、ファイル形式で保存される。
映像信号の変換については、撮影手段５としてのカメラから出力された映像信号を画像データへ変換するが、この変換された画像データから所定のフォーマットの動画の画像データを生成する。所定のフォーマットとしては、例えば、ＡＶＩ（Audio Video Interleave）、Ｈ．２６４等の各種動画フォーマットの画像データが挙げられる。また、例えば、ＪＰＥＧ方式の圧縮等も考えられる。
【００４４】
記録媒体としては、超小型ハードディスク等の他、ＵＳＢメモリ、メモリーカードが挙げられるが、メモリーカードは小さく薄く形成されているため手軽に利用することができ、また、消費電力、コスト等の点においても望ましい。
メモリーカードとしては、ＳＤメモリーカード、ｍｉｎｉＳＤカード、ｍｉｃｒｏＳＤカード、ＳＤＨＣメモリーカード、ＳＤＨＣｍｉｎｉメモリーカード等様々な種類、容量のものが存在するが、録画時間、値段等を考慮して好適なメモリーカードを適宜選択すればよい。また、今後は技術の進歩により、さらに小型化、大容量化が進むと予想されるが、このような場合も好適なメモリーカードを適宜選択すればよい。
【００４５】
本防犯監視装置を児童が通学等に使用した場合、通学曜日を月曜日から金曜日とし、小学校までの片道が１日最大で３０分程度、往復１日平均１時間程度使用したと仮定すると、５時間程度の時間を録画できる設定のものであれば、通学曜日である月曜日から金曜日分の記録がメモリーカードに保存される。そして、週末にデータの確認や削除等を行うことによって、また月曜日から金曜日の間に使用することができる。
このような記録媒体を利用することによって不審者の容姿や人相、また、犯行に至る過程が保存されることとなり、犯罪捜査上で有力な証拠となる録画データを捜査当局が入手することができるため、犯人検挙となる可能性が極めて高くなる。
【００４６】
振動センサー手段１１で振動検知を行い、この振動検知結果に基づく振動レベルが予め定められたレベル以上であったときに振動センサー手段１１から信号を出力する。具体的には、振動センサー手段１１において一定以上の振動、例えば、登下校時における歩行による振動を検知すると電気信号を出力するように設定し、この振動センサー手段１１を収納した本体ケース１をランドセルＢ等の児童の所有物に設けることによって、この振動センサー手段１１がランドセルＢ等の所有物の「動き」を検知し、振動が検出されている間は電気信号を出力する。したがって、振動センサー手段１１が振動を検知していない状態の場合は、電気信号を出力しない。
なお、この振動センサー手段１１は、外部応力による縦、横、斜めのいずれかの方向への対象物の振動を検知する。
【００４７】
上述のように、振動センサー手段１１において一定以上の振動を検知すると振動センサー手段１１から電気信号を出力するが、振動センサー１１が一定以上の振動を検知せず電気信号が出力されなくなっても、予め定められた設定時間内はオフディレータイマー手段１２から電気信号が出力され、設定時間経過後にオフディレータイマー手段１２から出力する電気信号が停止する。すなわち、振動センサー１１が振動を検知せず、振動センサーからの電気信号が出力されなくなるタイミング（振動センサー１１が振動を検知しなくなった直後）で設定時間内はオフディレータイマー手段１２から電気信号が出力される。したがって、信号待ち等で振動センサー手段１１が振動を検知しないような場合であっても、設定時間内はオフディレータイマー手段１２から電気信号が出力される。ここで、設定時間とは、例えば、振動センサー手段１１が振動を検知しなくなってから数十秒〜数分等とする。また、ここでいう設定時間を利用者が任意に設定する構成も考えられるが、利用者の煩雑さを考慮すると予め出荷段階から設定されているのが望ましい。
【００４８】
ＯＲ回路では、振動センサー手段１１、オフディレータイマー手段１２がそれぞれ並列に配しているので、いずれか一つから電気信号が出力され、ＯＲ回路手段１３に入力されている場合にはＯＲ回路手段１３から動作制御部１４にまで電気信号が出力される。すなわち、振動センサー手段１１、オフディレータイマー手段１２のどちらかから電気信号が出力されている場合に限りＯＲ回路手段１３から動作制御部１４に電気信号が出力される。いずれからも電気信号が出力されていない場合にはＯＲ回路手段１３から動作制御部１４にまで電気信号が出力されない。
【００４９】
具体的には次のとおりである。振動センサー手段１１が振動を検知している間は振動センサー手段１１の出力端子から電気信号が出力され、ＯＲ回路手段１３の入力端子に入力される。また、振動センサー手段１１が振動を検知しなくなっても、予め定められた設定時間内はオフディレータイマー手段１２の出力端子から電気信号が出力され、ＯＲ回路１３の入力端子に入力される。
そして、ＯＲ回路手段１３の入力端子に振動センサー手段１１、又は、オフディレータイマー手段１２からの出力信号が入力されたときにだけ、ＯＲ回路手段１３から動作制御手段１４へ出力され、動作制御手段１４から電源制御手段１５及び録画制御手段１６へ電気信号が出力される。
【００５０】
また、請求項７等のように、ＯＲ回路手段１３を構成要素としない構成であってもよい。この場合は、図１１で図示するように、振動センサー手段１１からの信号がオフディレータイマー手段１２を経由して動作制御手段１４へ出力される。
なお、この動作制御手段１４、電源制御手段１５、録画制御手段１６の制御プログラムは図示しないメモリに記録されている。
【００５１】
電源手段２０は、各手段に電源の供給を制御する電源制御手段１５に電源を供給するものであるが、主として充電式電源を利用する。
このように充電式電源を主な電力源として利用するが、充電式電源としては、例えば、リチウムイオン電池や、ニッケル水素電池等が望ましい。
また、振動によって振動面に発生する圧力を圧電素子等を利用して電力に変換する振動発電装置を副次的な電力源として利用することもできる。このように、振動発電装置によって発電された電力が蓄電装置に蓄えられ、蓄えられた電力を電力源として利用することもできる。
【００５２】
図１〜図３の例では、撮影手段収納取付ケース３は、取付具である弾性バネ部材４と一体化し、この弾性バネ部材４を利用することによってランドセルＢ等の児童の所有物に取付けている。また、図示するように、本体ケース１と撮影手段収納取付ケース３は分離されているため、撮影手段収納取付ケース３に収納する撮影手段５及び作動表示手段６と、本体ケース１に収納する電源制御手段１５等とはコード２等の有線で接続されている。なお、図示しないが、例えば、無線信号送受信手段を設けてワイヤレス接続する構成も考えられる。この場合、持ち運び等に便利であり、また、操作性も良くなる。
撮影手段収納取付ケース３の形状は特に限定せず、どのような形状であってもよい。一例として、例えば、図１、図２にあるように円形部と長方形部を連結した正面視鍵穴形状のものが挙げられる。
【００５３】
また、弾性バネ部材４の形状も特に限定せず、ランドセルＢ等の児童の所有物に取付けることができる形状であればどのような形状であってもよい。一例として、例えば、図３にあるように側面視Ｕ字形状のものが挙げられる。なお、落下し難くするために、弾性バネ部材４の内側に凹凸等を付けることも可能である。
この撮影手段収納取付ケース３内に撮影手段５及び作動表示手段６を収納する。具体的には、撮影手段収納取付ケース３の円形部にレンズ孔３ｂを開設し、その内側周辺にカメラ収容空間を形成し、このカメラ収容空間にカメラを収容し、レンズ孔３ｂから後方の外部映像を撮影する。
【００５４】
また、図１、図２の例では、撮影手段収納取付ケース３の円形部に開設したレンズ孔３ｂの近傍、具体的には、円形部と長方形部の連結部分付近にＬＥＤ孔３ｃを開設し、その内側周辺にＬＥＤ収容空間を形成し、このＬＥＤ収容空間にＬＥＤを収容し、防犯監視装置Ａの作動中にはこのＬＥＤが発光する。
【００５５】
撮影手段収納取付ケース３を構成する部材の材質は問わないが、一例として、例えば、所定の鍵穴形状に成形された薄板材を基板とし、その基板の板面上にクッションパッドを介し、本皮，合皮等の表装材を被着することにより撮影手段収納取付ケース３を構成する例が挙げられる。そして、Ｕ字形状の弾性バネ部材４の一面に撮影手段収納取付ケース３を連結し、弾性バネ部材４と撮影手段収納取付ケース３が一体化される。このＵ字形状の弾性バネ部材４で、例えば、ランドセルＢの被せ蓋Ｂ２を両側から挟み、撮影手段収納取付ケース３をランドセルＢに装着する。
【００５６】
外部の衝撃からカメラ等の撮影手段５や作動表示手段６を保護するため、撮影手段収納取付ケース３をラバーやシリコン等でコーティングするのが望ましい。さらに、例えば、ラバーやシリコン等をカメラ等の撮影手段５と撮影手段収納取付ケース３との間に介在させることによってカメラ等の撮影手段５が良好に保護される。
また、弾性バネ部材４を本皮，合皮等の表装材を被着する構成も考えられるが、この場合、滑りにくくするため、被着部分をラバーやシリコン等で表装材をコーティングするのが望ましい。
【００５７】
本体ケース１を構成する部材の材質は問わないが、一例として、例えば、樹脂製、アルミ製等で成形される。
また、本体ケース１の形状は特に限定せず、どのような形状であってもよい。一例として、例えば、直方体状等が挙げられる。
なお、図１、図２では、本体ケース１に設けた支持構造１ａを利用してランドセルの大マチＢ１に本体ケース１を引っ掛けているが、支持構造１ａを設けず、本体ケース１をランドセル内に収納してもよい。
【００５８】
図４〜図５の例では、カメラ等の撮影手段５、ＬＥＤライト等の作動表示手段６を収納する撮影手段収納取付ケース３と、オフディレータイマー手段１２、振動センサー手段１１、電源手段２０、映像記録手段３０等の各手段を収納する本体ケース１からなり、撮影手段収納取付ケース３はランドセルＢの被せ蓋Ｂ２の表面下方に固着され、本体ケース１はランドセルＢの被せ蓋Ｂ２の裏面下方に固着されており、撮影手段収納取付ケース３と本体ケース１でランドセルＢの被せ蓋Ｂ２を挟むようにして、防犯監視装置ＡがランドセルＢと一体化する構成である。
【００５９】
また、本体ケース１と撮影手段収納取付ケース３が一体化され、図６で図示するような側面視Ｕ字形状であってもよい。
この撮影手段収納取付ケース３内への撮影手段５及び作動表示手段６を収容方法等は図１〜図３の例に準ずる。また、図４、図５のように、ＬＥＤ孔３ｃを長孔状に開設し、その内側周辺にＬＥＤ収容空間を形成し、このＬＥＤ収容空間にＬＥＤ等を収納することもできる。この場合、長孔状のＬＥＤ孔３ｃを例えば、レンズ孔１ｂの上方や、レンズ孔１ｂの左右に開設する。なお、長孔状のＬＥＤ孔３ｃを複数個配置する場合は、放射状に配置することも可能である。
【００６０】
撮影手段収納取付ケース３の形状は特に限定せず、どのような形状であってもよい。一例として、例えば、図４、図５で図示するように半円形状のものが挙げられる。
また、撮影手段収納取付ケース３を構成する部材の材質は問わないが、一例として、例えば、所定の半円形状に成形された薄板材を基板とし、その基板の板面上にクッションパッドを介し、本皮，合皮等の表装材を被着することにより撮影手段収納取付ケース３を構成する例が挙げられる。
【００６１】
外部の衝撃からカメラ等の撮影手段５や作動表示手段６を保護するため、撮影手段収納取付ケース３をラバーやシリコン等でコーティングする点や、ラバーやシリコン等をカメラ等の撮影手段５と撮影手段収納取付ケース３との間に介在させる点等については図１等の例に準ずる。
【００６２】
本体ケース１を構成する部材の材質及び形状に関しては図１〜図３の例と同様である。
また、図５では、撮影手段収納取付ケース３の形状を半円形状とし、本体ケース１の形状を直方体形状としているが、両ケースとも同一形状としてもよい。具体的には、撮影手段収納取付ケース３の形状、本体ケース１の形状をともに半円形状とする構成や、撮影手段収納取付ケース３の形状、本体ケース１の形状をともに直方体形状とする構成であってもよい。
【００６３】
なお、本体ケース１と撮影手段収納取付ケース３が分離されている場合は、撮影手段収納取付ケース３に収納する撮影手段５及び作動表示手段６と、本体ケース１に収納する電源制御手段１５等とはコード２等の有線で接続する。なお、図示しないが、例えば、無線信号送受信手段を設けてワイヤレス接続する構成も考えられる。この場合、持ち運び等に便利であり、また、操作性も良くなる。
【００６４】
図７〜図８の例では、本体ケース１内に撮影手段５、作動表示手段６、制御部本体１０、電源手段２０、映像記録手段３０等を収納するオールインワンタイプで、本体ケース１の一部に支持構造１ａを備えた構成である。本体ケース１内に各手段が収納されているため、管理や保管、ランドセルＢ等への着脱が容易となる。
【００６５】
この本体ケース１の一方の側面に膨出部１ｄが形成される。この膨出部１ｄにはレンズ孔１ｂを開設し、その内側周辺にはカメラ収容空間を形成し、このカメラ収容空間にカメラが収容され、レンズ孔１ｂから後方の外部映像を撮影する。
また、本体ケース１の正面にＬＥＤ孔１ｃを開設し、その内側周辺にＬＥＤ収容空間を形成し、このＬＥＤ収容空間にＬＥＤを収容する。このＬＥＤの効果、設置数等に関しては、図１等の例に準ずる。
【００６６】
本体ケース１の他方の側面に支持構造１ａを設けているが、この支持構造１ａとしては、例えば、Ｊ字型のフック、Ｕ字型のクリップ、Ｄカン等が挙げられる。具体的には、本体ケース１の一面にＪ字型のフックやＵ字型のクリップを設け、このフック、クリップを例えばランドセルＢの大マチＢ１の上方に引っ掛けることによって本体ケース１をランドセルＢ等に取り付けることができる。また、図８のように、本体ケース１の一面にＤカンを設け、このＤカンをランドセルＢ等に配備されているナス環Ｂ３に吊り下げることによって本体ケース１をランドセルＢに取り付けることができる。
【００６７】
本体ケース１の構成は特に限定されないが、一例として、本体ケース１を、背面に開口部が設けられた外箱と、この外箱に内包され、側面に開口部が設けられた内箱と、開口部を開閉自在にする扉とからなり、この扉の上端部を回転自在に支軸で軸支する構成が考えられる。内箱に収納されている記録媒体等を取り出す場合は、扉を上げて外箱から内箱を取り出すことによって行う。
なお、本体ケース１を構成する部材の材質に関しては図１等の例と同様である。
【００６８】
図９の例では、図７〜図８の例と同様に本体ケース１内に撮影手段５、作動表示手段６、制御部本体１０、電源手段２０、映像記録手段３０等を収納するオールインワンタイプであるが、主に被せ蓋Ｂ２が半分のいわゆるハーフトップタイプのランドセルＢに使用するものである。
この例では、これらの各手段が収納された本体ケースをランドセルＢの錠前に連接する。その他、本体ケース１を補強材等を介してランドセルＢの小マチに固着する構成も考えられる。
【００６９】
本体ケース１の正面にはレンズ孔１ｂを形成し、この内部周辺にはカメラ収容空間を形成し、このカメラ収容空間にカメラが収容され、レンズ孔１ｂから後方の映像を撮影する点や、本体ケース１の正面にＬＥＤ孔１ｃを開設し、この内側周辺にＬＥＤ収容空間を形成し、このＬＥＤライト収容空間にＬＥＤを収容する点等は図７等の例と同様である。
また、本体ケース１を構成する部材の材質及び形状に関しては図１等の例と同様である。
【図面の簡単な説明】
【００７０】
【図１】図１は、本願発明である撮影手段収納取付ケースと本体ケースをランドセルに設置した状態の斜視図である。
【図２】図２は、図１の一部欠栽斜視図である。
【図３】図３は、図１、図２で図示した撮影手段収納取付ケースの側面図である。
【図４】図４は、本願発明である撮手段収納取付ケースと本体ケースをランドセルに設置した状態の他の例の斜視図である。
【図５】図５は、図４の一部欠栽斜視図である。
【図６】図６は、図５で図示した撮影手段収納取付ケース及び本体ケースの側面図である。
【図７】図７は、本願発明の本体ケースをランドセルに設置した状態の斜視図である。
【図８】図８は、図７の他の例の斜視図である。
【図９】図９は、本願発明の本体ケースをハーフトップタイプのランドセルＢに設置した状態の斜視図である。
【図１０】図１０は、ＯＲ回路を構成要素とする本願発明のシステム構成の概略図である。
【図１１】図１１は、ＯＲ回路を構成要素としない本願発明のシステム構成の概略図である。
【符号の説明】
【００７１】
Ａ  防犯監視装置
１  本体ケース
１ａ  支持構造
１ｂ  レンズ孔
１ｃ  ＬＥＤ孔
１ｄ  膨出部
２  コード
３  撮影手段収納取付ケース
３ｂ  レンズ孔
３ｃ  ＬＥＤ孔
４  弾性バネ部材
５  撮影手段
５ａ  レンズ
６  作動表示手段
１０  制御部本体
１１  振動センサー手段
１２  オフディレータイマー手段
１３  ＯＲ回路手段
１４  動作制御手段
１５  電源制御手段
１６  録画制御手段
２０  電源手段
３０  映像記録手段
４０  電源スイッチ手段
Ｂ  ランドセル
Ｂ１  大マチ
Ｂ２  被せ蓋
Ｂ３  ナス環
【要約】
【課題】主電源をＯＮとすれば、その後は振動センサー手段及びタイマー手段と接続するＯＲ回路等を利用することによって各手段が作動し、使用の度に電源の入切を行うことなく必要な状況下において撮影することができる防犯監視装置を提供する。
【解決手段】本発明は、電源手段、電源制御手段、撮影手段、録画制御手段、及び、映像記録手段と、
振動レベルが予め定められたレベル以上であったときに信号を出力する振動センサー手段と、振動を検知しなくなった直後から予め定められた設定時間内に限り信号を出力するオフディレータイマー手段と、
振動センサー手段からの信号、又は、オフディレータイマー手段からの信号のいずれかが入力された場合に信号を出力するＯＲ回路手段等を備えた防犯監視装置である。
【選択図】    図１０【図１】
0005716941.tif 000002
【図２】
0005716941.tif 000003
【図３】
0005716941.tif 000004
【図４】
0005716941.tif 000005
【図５】
0005716941.tif 000006
【図６】
0005716941.tif 000007
【図７】
0005716941.tif 000008
【図８】
0005716941.tif 000009
【図９】
0005716941.tif 000010
【図１０】
0005716941.tif 000011
【図１１】
0005716941.tif 000012